(57)【要約】      （修正有）【課題】飲料容器の収納状態と普通のハンカチとしての状態を簡単に切り替えることができ、しかも、変化のある外観を有する飲料容器収納部付きハンカチを提供する。【解決手段】飲料容器収納部付きハンカチ１は、パイル生地よりなる概ね矩形のハンカチであり、封筒状の飲料容器収納部２と、飲料容器収納部の一方の側部に形成された矩形のシート状の非飲料容器収納部３を有し、飲料容器収納部の非飲料容器収納部とは逆側の側辺と、非飲料容器収納部の飲料容器収納部とは逆側の側辺とにそれぞれ着脱自在に接続する連結部材４ａ，４ｂを有する。飲料容器収納部の一方の面およびこれと同じ側の非飲料容器収納部の面より形成される第１面と、その反対側の第２面にはそれぞれ異なる色または柄が表わされており、連結部材はくるみボタンと環状のゴムの組合せであることが好ましい。【選択図】図１
0003197096.tif 000002
【実用新案登録請求の範囲】
【請求項１】
パイル生地よりなる概ね矩形のハンカチであり、封筒状の飲料容器収納部と、飲料容器収納部の一方の側部に形成された矩形のシート状の非飲料容器収納部を有し、
飲料容器収納部で非飲料容器収納部とは逆側の側辺と、非飲料容器収納部で飲料容器収納部とは逆側の側辺とにそれぞれ着脱自在に接続する連結部材を有する飲料容器収納部付きハンカチ。
【請求項２】
飲料容器収納部の一方の面およびこれと同じ側の非飲料容器収納部の面より形成される第１面と、その反対側の第２面にはそれぞれ異なる色または柄が表わされており、
連結部材はくるみボタンと環状のゴムの組合せである請求項１に記載の飲料容器収納部付きハンカチ。
【考案の詳細な説明】
【技術分野】
【０００１】
この考案は、ペットボトル等の飲料容器を収容することができるタオルハンカチに関する。
【背景技術】
【０００２】
特許文献１〜３にはペットボトルを包むことができるハンカチが記載されている。特許文献１には、四角い形状をした布の一角部に、紐を設け、その紐の先端部にビーズ等の止着手段を設けることが記載されている。特許文献２には、１隅から所定の距離の位置に切り目を有するハンカチを用い、ペットボトル等の品物の上に折り、切り目にハンカチの隅を差し込むことにより、ペットボトル等を収納することが記載されている。
【０００３】
また、特許文献３には、四角形のタオル生地の４辺のうちの２辺を重ねて２つ折りとし、この重なった辺の中心付近の位置から角部を経て折返し点までを縫着し、重なった辺の中心にリング状のタブを縫着した多用途ハンカチが記載されている。
【先行技術文献】
【特許文献】
【０００４】
【特許文献１】特開２０１０−２４８６５３号公報
【特許文献２】特開２０１３−６０６８７号公報
【特許文献３】登録実用新案公報第３１５６５１９号
【考案の概要】
【考案が解決しようとする課題】
【０００５】
特許文献１や特許文献２の考案によれば、広げたときは正方形のハンカチとして使用できる。しかし、ペットボトルを収納するときは折り畳みながら包むという面倒な作業をしなければならない。テーブル等の置き場所がある場合はそのような作業も可能であるが、屋外の自動販売機で飲料を購入した直後などではそのような置き場はなく、包む作業はしにくい。
【０００６】
他方、特許文献３の多用途ハンカチでは、すでに縫製により袋の形状が形成されているので、その中にペットボトルを簡単に入れることができる。しかし、これを通常のハンカチの形状になるように広げることはできない。また、袋の表側に現れる外観しか見ることはできない。
【０００７】
この考案は、飲料容器の収納状態と普通のハンカチとしての状態を簡単に切り替えることができ、しかも、変化のある外観を有する飲料容器収納部付きハンカチを提供することを目的とする。
【課題を解決するための手段】
【０００８】
上述の課題を解決するため、この考案の飲料容器収納部付きハンカチは、パイル生地よりなる概ね矩形のハンカチであり、封筒状の飲料容器収納部と、飲料容器収納部の一方の側部に形成された矩形のシート状の非飲料容器収納部を有し、飲料容器収納部で非飲料容器収納部とは逆側の側辺と、非飲料容器収納部で飲料容器収納部とは逆側の側辺とにそれぞれ着脱自在に接続する連結部材を有する。さらに、飲料容器収納部の一方の面およびこれと同じ側の非飲料容器収納部の面より形成される第１面と、その反対側の第２面にはそれぞれ異なる色または柄が表わされており、連結部材はくるみボタンと環状のゴムの組合せであることが好ましい。
【考案の効果】
【０００９】
この考案の飲料容器収納部付きハンカチは封筒状の飲料容器収納部に飲料容器を収納でき、飲料容器を入れないときは広げてタオルハンカチとして使用できる。この切替は簡単に行うことができる。また、飲料容器を収納するときに、畳み方によって異なる外観を示すことができる。
【図面の簡単な説明】
【００１０】
【図１】飲料容器収納部付きハンカチを示す正面図である。
【図２】同背面図である。
【図３】パイル生地を示す正面図である。
【図４】飲料容器収納部付きハンカチの使用状態を示す正面図である。
【考案を実施するための形態】
【００１１】
この考案を実施するための形態について図面に基づいて説明する。図１は飲料容器収納部付きハンカチを示す正面図、図２は同背面図である。
【００１２】
飲料容器収納部付きハンカチ１は、パイル生地よりなる概ね矩形のハンカチであり、封筒状の飲料容器収納部２と、飲料容器収納部２の一方の側部に形成された矩形のシート状の非飲料容器収納部３を有する。本例では、一辺が２５ｃｍの正方形の形状であり、ハンカチとして使用するのに適している。幅の半分が飲料容器収納部２であり、他の半分が非飲料容器収納部３である。
【００１３】
図３はパイル生地を示す正面図である。材料となるパイル生地１０は、後述の通り飲料容器収納部付きハンカチ１と同じ長さ（図１における縦方向の長さ）で幅は飲料容器収納部付きハンカチ１の１．５倍である。ここで、パイル生地１０の四辺すべてに予め縁取りの縫製を行ってもよいが、パイル生地の両側辺１１，１２と上辺１３のみに縁取りを行い、下辺１４には縁取りをしていないものを使用してもよい。このパイル生地１０の３分の１の幅だけ折り曲げ、重なり部分の先端部を縫い合わせる。飲料容器収納部２の下辺部はまた閉じられていない。この折り畳まれた状態で、下辺部１３の縁取りの縫製を行う。このとき、飲料容器収納部２では２枚の生地が重なっているが、この２枚の生地を合わせて縁取りしていく。また、非飲料容器収納部３の下辺も同時に縁取りする。こうして封筒状の飲料容器収納部２が形成されるとともに、その横には生地が１枚だけの非飲料容器収納部３も形成される。ここで、飲料容器収納部２の下辺は１層の縁部として形成されるので、２層の縁部を重ねるよりも薄くなり、すっきりとした美しい外観になる。
【００１４】
この飲料容器収納部付きハンカチ１の両側辺には相互に着脱自在に連結する一対の連結部材４が設けられている。本例では、飲料容器収納部２の側辺にはくるみボタン４ａが取り付けられており、非飲料容器収納部３の側辺には環状のゴム４ｂが取り付けられている。
【００１５】
飲料容器収納部付きハンカチ１の表面と裏面には、異なる外観が形成されている。この外観の違いは、図柄の違いであってもよく、色の違い、あるいは、色と図柄の組合せの違いであってもよい。たとえば、飲料容器収納部の一方の面およびこれと同じ側の非飲料容器収納部の面より形成される第１面（図１に現れる面）には、暖色系で表現された模様（図柄１）を施こし、その反対側の第２面（図２に現れる面）には寒色系で表現された模様（図柄２）を施す。
【００１６】
次にこの考案の飲料容器収納部付きハンカチの使用方法について説明する。図３は飲料容器ｘを収納した状態の飲料容器収納部付きハンカチを示す正面図である。飲料容器ｘは例えば６００ミリリットルまでの容量のペットボトルである。これを飲料容器収納部２の開口部から挿入するだけで、包むことができる。そして、飲料容器収納部２と非飲料容器収納部３の境界線５で折り、非飲料容器収納部３を飲料容器収納部２のいずれかの面の上に重ね、環状のゴムをくるみボタンにかけることにより、飲料容器の携帯部材となる。
【００１７】
折り畳みは２つのやりかたで行うことができる。図１の状態から境界線５に沿って山折すれば、第１面の図柄１が外観として現れる。一方、図１の状態から谷折すれば、第２面の図柄２が外観として現れる。いずれの折り方をしても、連結部材４ａ，４ｂ同士を結合させることができる。したがって、折り畳み方を変えるだけで、２種類の異なる外観を楽しむことができる。たとえば、冬季においては暖色系の図柄１を選択し、夏季には寒色系の図柄２を選択するような楽しみ方ができる。
【００１８】
パイル生地で形成されているので、厚さがあり、十分な空気層が形成されるので、保温性が高い。また、吸水性に優れるので、冷えた飲料容器についた露なども吸収される。
【００１９】
飲料容器を収納しないときは、連結部材を切り離せば図１のように広げた状態にできる。このときは、通常のタオルハンカチとして使用できる。面積の半分を占める飲料容器収納部２ではパイル生地が二重になっているので、通常のタオルハンカチよりも多くの水分を吸収することができる。
【符号の説明】
【００２０】
１．飲料容器収納部付きハンカチ
２．飲料容器収納部
３．非飲料容器収納部
４ａ  くるみボタン
４ｂ  環状のゴム
１０．パイル生地
ｘ．飲料容器
【図１】
0003197096.tif 000003
【図２】
0003197096.tif 000004
【図３】
0003197096.tif 000005
【図４】
0003197096.tif 000006